(57)【要約】  本発明は、面状発光パネルが支持部材で支持され、支持部材からの面状発光パネルの着脱が容易な照明装置を提供する。  支持部材は、支持側係合部を有し、給電配線の大部分が支持部材に覆われており、照明パネルは、面状発光パネルと、取付部材を有し、面状発光パネルは、取付部材に着脱可能であって背面にパネル側係合部を有し、取付部材は、支持部材に複数箇所で固定可能であって、第１取付側係合部と、第２取付側係合部を有し、第１取付側係合部は、面状発光パネルと重なる位置において、支持部材の延び方向に対して実質的に直交する方向に支持側係合部と係合可能であり、第２取付側係合部は、支持部材の延び方向に対して実質的に直交する方向でパネル側係合部と係合及び係合解除が可能である構成とする。
2018211729.tif 000002
【特許請求の範囲】
【請求項１】
照明パネルと、所定の方向に延びる支持部材と、前記照明パネルに対して給電する給電配線を有し、
前記支持部材は、支持側係合部を有し、
前記給電配線の大部分は、前記支持部材に覆われており、
前記照明パネルは、発光面をもつ面状発光パネルと、前記支持部材に対して前記面状発光パネルを取り付ける取付部材を有し、
前記面状発光パネルは、前記取付部材に対して着脱可能であって、背面にパネル側係合部を有し、
前記取付部材は、前記支持部材の延び方向において前記支持部材に対して複数箇所で固定可能であって、第１取付側係合部と、第２取付側係合部を有し、
前記第１取付側係合部は、前記発光面を正面視したときに前記面状発光パネルと重なる位置において、前記支持部材の延び方向に対して実質的に直交する方向に前記支持側係合部と係合可能であり、
前記第２取付側係合部は、前記支持部材の延び方向に対して実質的に直交する方向で前記パネル側係合部と係合及び係合解除が可能であることを特徴とする照明装置。
【請求項２】
前記支持側係合部は、前記給電配線と電気的に接続されるものであって、前記第１取付側係合部と嵌合可能であり、
前記照明パネルと前記給電配線は、前記支持側係合部が前記第１取付側係合部と嵌合することで電気的に接続されることを特徴とする請求項１に記載の照明装置。
【請求項３】
前記支持部材は、少なくとも２つの支持側係合部を有し、
前記２つの支持側係合部は、それぞれ前記給電配線と電気的に接続されるものであって、いずれも前記第１取付側係合部と嵌合可能であり、
前記照明パネルと前記給電配線は、前記第１取付側係合部が一の支持側係合部に嵌合されることで電気的に接続されることを特徴とする請求項１又は２に記載の照明装置。
【請求項４】
前記第１取付側係合部は、少なくとも係合片と付勢部材を含む係合ユニットを有し、
前記係合片は、前記取付部材を前記支持部材に取り付けた状態において、前記付勢部材によって前記支持部材側に向かって付勢され、前記支持側係合部と係合することを特徴とする請求項１乃至３のいずれかに記載の照明装置。
【請求項５】
前記支持部材は、少なくとも２つの支持側係合部を有し、
前記取付部材は、少なくとも２つの前記係合ユニットを有し、
前記２つの係合ユニットのうち、一方の係合ユニットの係合片と他方の係合ユニットの係合片は、間隔を空けて対向し、各付勢部材によって互いに近接するように付勢されており、
前記支持部材の一部は、前記取付部材を前記支持部材に取り付けた状態において、前記２つの係合ユニットの間に位置し、前記２つの支持側係合部が前記２つの係合ユニットの各係合片と係合していることを特徴とする請求項４に記載の照明装置。
【請求項６】
前記照明パネルと前記支持部材の延び方向に並設されて隣接した第２照明パネルを有し、
前記第２照明パネルは、発光面を有する第２面状発光パネルと、第１接続部及び第２接続部を有する第２取付部材を備え、
前記第２接続部は、前記第２面状発光パネルと接続されるものであって、前記第１接続部に対する姿勢を変更可能であり、
前記第２照明パネルは、前記第２接続部の前記第１接続部に対する姿勢を変更することによって、前記第２面状発光パネルの発光面が前記照明パネルの面状発光パネルの発光面と同一方向を向く第１姿勢と、前記第２面状発光パネルの発光面が前記延び方向に対して実質的に直交する方向を向く第２姿勢とに変更可能であることを特徴とする請求項１乃至５のいずれかに記載の照明装置。
【請求項７】
前記照明パネルの取付部材は、前記第２照明パネルが前記第２姿勢を取った状態において、前記延び方向に移動可能となることを特徴とする請求項６に記載の照明装置。
【請求項８】
前記照明パネルと前記支持部材の延び方向に並設されて隣接した第２照明パネルを有し、
前記第２照明パネルは、発光面を有する第２面状発光パネルを有し、
前記照明パネルの発光面と前記第２照明パネルの発光面が同一平面上に位置するように連結する連結部材を備えることを特徴とする請求項１乃至７のいずれかに記載の照明装置。
【請求項９】
前記連結部材は、可撓性を有した透明樹脂で形成され、前記面状発光パネルの発光面側の面の少なくとも一部が前記連結部材を透過して視認可能であり、
前記面状発光パネルは、前記連結部材を弾性変形させることによって、前記取付部材から取り外し可能となることを特徴とする請求項８に記載の照明装置。
【請求項１０】
前記支持部材は、複数の支持側係合部を有し、前記複数の支持側係合部が前記所定の方向に間隔を空けて設けられており、
前記取付部材は、前記複数の支持側係合部のそれぞれと係合可能な第１取付側係合部を有し、
前記第１取付側係合部と係合させる前記支持側係合部を変更することによって前記支持部材に対する前記照明パネルの位置を調整可能であることを特徴とする請求項１乃至９のいずれかに記載の照明装置。
【請求項１１】
照明パネルと、所定の方向に延びる支持部材を有し、
前記支持部材は、複数の支持側係合部を有し、前記複数の支持側係合部が前記所定の方向に間隔を空けて設けられており、
前記照明パネルは、発光面をもつ面状発光パネルと、前記支持部材に対して前記面状発光パネルを取り付ける取付部材を有し、
前記面状発光パネルは、前記取付部材に対して着脱可能であって、背面にパネル側係合部を有し、
前記取付部材は、前記複数の支持側係合部のそれぞれと係合可能な第１取付側係合部と、前記パネル側係合部と係合可能な第２取付側係合部を有し、
前記第１取付側係合部と係合させる前記支持側係合部を変更することによって前記支持部材に対する前記照明パネルの位置を調整可能であることを特徴とする照明装置。
【請求項１２】
所定の方向に延び支持側係合部を有した支持部材で支持され、前記支持部材に大部分が覆われた給電配線に接続可能な照明パネルであって、
発光面をもつ面状発光パネルと、前記支持部材に対して前記面状発光パネルを取り付ける取付部材を有し、
前記面状発光パネルは、前記取付部材に対して着脱可能であって、背面にパネル側係合部を有し、
前記取付部材は、前記支持部材の延び方向において、前記支持部材に対して複数箇所で固定可能であって、第１取付側係合部と、第２取付側係合部を有し、
前記第１取付側係合部は、前記発光面を正面視したときに前記面状発光パネルと重なる位置において、前記支持部材の延び方向に対して実質的に直交する方向に前記支持側係合部と係合可能であり、
前記第２取付側係合部は、前記支持部材の延び方向に対して実質的に直交する方向で前記パネル側係合部と係合及び係合解除が可能であることを特徴とする照明パネル。
【発明の詳細な説明】
【技術分野】
【０００１】
本発明は、有機ＥＬパネルや、無機ＥＬパネル、ＬＥＤを面状に敷き詰めたＬＥＤパネル等の面状発光パネルを備えた照明装置及び照明パネルに関する。
【背景技術】
【０００２】
有機ＥＬパネルは、面状に発光する面状発光パネルであり、照らす範囲が広いことから、照明装置として使用されている（例えば、特許文献１）。この有機ＥＬパネルは、一般的に、ガラス基板等の基材上に有機ＥＬ素子を積層し、有機ＥＬ素子を封止する構造及び有機ＥＬ素子へ給電する構造を備えたものである。
【先行技術文献】
【特許文献】
【０００３】
【特許文献１】特開２００７−２５０３０２号公報
【発明の概要】
【発明が解決しようとする課題】
【０００４】
ところで、会議室等のある程度広い空間において、有機ＥＬパネルを照明として使用する場合、複数枚の有機ＥＬパネルを並設して使用することが多い。このような場合、任意の位置に有機ＥＬパネルを配置することになるが、各有機ＥＬパネルが一列に隙間なく詰まった状態で取り付けられていると、メンテナンスの際や有機ＥＬパネルの交換の際に、隣接する有機ＥＬパネルが邪魔となり、交換対象の有機ＥＬパネルを取り外しにくいという問題がある。【０００５】
そこで、本発明は、面状発光パネルが支持部材で支持され、支持部材からの面状発光パネルの着脱が容易な照明装置及び照明パネルを提供することを課題とする。
【課題を解決するための手段】
【０００６】
上記した課題を解決するための本発明の一つの様相は、照明パネルと、所定の方向に延びる支持部材と、前記照明パネルに対して給電する給電配線を有し、前記支持部材は、支持側係合部を有し、前記給電配線の大部分は、前記支持部材に覆われており、前記照明パネルは、発光面をもつ面状発光パネルと、前記支持部材に対して前記面状発光パネルを取り付ける取付部材を有し、前記面状発光パネルは、前記取付部材に対して着脱可能であって、背面にパネル側係合部を有し、前記取付部材は、前記支持部材の延び方向において前記支持部材に対して複数箇所で固定可能であって、第１取付側係合部と、第２取付側係合部を有し、前記第１取付側係合部は、前記発光面を正面視したときに前記面状発光パネルと重なる位置において、前記支持部材の延び方向に対して実質的に直交する方向に前記支持側係合部と係合可能であり、前記第２取付側係合部は、前記支持部材の延び方向に対して実質的に直交する方向で前記パネル側係合部と係合及び係合解除が可能である照明装置である。【０００７】
ここでいう「大部分」とは、全体の９０％以上を占める部分をいう。
ここでいう「延び方向に対して実質的に直交する方向」とは、延び方向に対して概ね直交方向とみなせる程度に延び方向に直交した方向であり、具体的には、延び方向となす角度が８８度以上９２度以下で交差する方向である。【０００８】
本様相によれば、給電配線の部分が支持部材によって覆われているので、使用者が給電配線に触れることによる感電等の発生を防ぐことができ、安全性が高い。
本様相によれば、支持部材の所望の位置に取付部材を取り付けることができ、その取付部材に合わせて面状発光パネルも設置できる。
本様相によれば、面状発光パネルの固定方向と取付部材の固定方向がいずれも支持部材の延び方向と実質的に直交する関係となっているため、支持部材への固定位置の調整と、支持部材への固定が緩衝することを防止できる。
本様相によれば、正面視したときに面状発光パネルと重なる位置で係合されているため、取付部材が面状発光パネルで隠され、従来に比べて意匠性が高い。【０００９】
好ましい様相は、前記支持側係合部は、前記給電配線と電気的に接続されるものであって、前記第１取付側係合部と嵌合可能であり、前記照明パネルと前記給電配線は、前記支持側係合部が前記第１取付側係合部と嵌合することで電気的に接続されることである。【００１０】
本様相によれば、第１取付側係合部が支持部材からの給電部として機能するので、照明パネルの支持部材への取り付けと支持部材から照明パネルへの給電が容易である。【００１１】
好ましい様相は、前記支持部材は、少なくとも２つの支持側係合部を有し、前記２つの支持側係合部は、それぞれ前記給電配線と電気的に接続されるものであって、いずれも前記第１取付側係合部と嵌合可能であり、前記照明パネルと前記給電配線は、前記第１取付側係合部が一の支持側係合部に嵌合されることで電気的に接続されることである。【００１２】
本様相によれば、第１取付側係合部を嵌合させる支持側係合部の位置によって位置調整が可能である。【００１３】
好ましい様相は、前記第１取付側係合部は、少なくとも係合片と付勢部材を含む係合ユニットを有し、前記係合片は、前記取付部材を前記支持部材に取り付けた状態において、前記付勢部材によって前記支持部材側に向かって付勢され、前記支持側係合部と係合することである。【００１４】
本様相によれば、支持側係合部が付勢部材によって付勢された係合片によって係合されているため、支持部材から取付部材が外れにくい。【００１５】
より好ましい様相は、前記支持部材は、少なくとも２つの支持側係合部を有し、前記取付部材は、少なくとも２つの前記係合ユニットを有し、前記２つの係合ユニットのうち、一方の係合ユニットの係合片と他方の係合ユニットの係合片は、間隔を空けて対向し、各付勢部材によって互いに近接するように付勢されており、前記支持部材の一部は、前記取付部材を前記支持部材に取り付けた状態において、前記２つの係合ユニットの間に位置し、前記２つの支持側係合部が前記２つの係合ユニットの各係合片と係合していることである。【００１６】
本様相によれば、２つの支持側係合部が２つの係合片とそれぞれ係合するため、より外れにくい。【００１７】
好ましい様相は、前記照明パネルと前記延び方向に並設されて隣接した第２照明パネルを有し、前記第２照明パネルは、発光面を有する第２面状発光パネルと、第１接続部及び第２接続部を有する第２取付部材を備え、前記第２接続部は、前記第２面状発光パネルと接続されるものであって、前記第１接続部に対する姿勢を変更可能であり、前記第２照明パネルは、前記第２接続部の前記第１接続部に対する姿勢を変更することによって、前記第２面状発光パネルの発光面が前記照明パネルの面状発光パネルの発光面と同一方向を向く第１姿勢と、前記第２面状発光パネルの発光面が前記延び方向に対して実質的に直交する方向を向く第２姿勢とに変更可能であることである。【００１８】
本様相によれば、第２照明パネルを第１姿勢とすることで照明パネルとともに同一方向に光を照射でき、第２照明パネルを第２姿勢とすることでメンテナンス等の際の照明パネルの操作スペースや移動スペースを確保できる。【００１９】
より好ましい様相は、前記照明パネルの取付部材は、前記第２照明パネルが前記第２姿勢を取った状態において、前記延び方向に移動可能となることである。【００２０】
本様相によれば、第２照明パネルを第２姿勢とすることで照明パネルの可動範囲を確保でき、照明パネルの支持部材への着脱が容易となる。【００２１】
好ましい様相は、前記照明パネルと前記支持部材の延び方向に並設されて隣接した第２照明パネルを有し、前記第２照明パネルは、発光面を有する第２面状発光パネルを有し、前記照明パネルの発光面と前記第２照明パネルの発光面が同一平面上に位置するように連結する連結部材を備えることである。【００２２】
本様相によれば、各照明パネルから同様の光を照射できる。【００２３】
より好ましい様相は、前記連結部材は、可撓性を有した透明樹脂で形成され、前記面状発光パネルの発光面側の面の少なくとも一部が前記連結部材を透過して視認可能であり、前記面状発光パネルは、前記連結部材を弾性変形させることによって、前記取付部材から取り外し可能となることである。【００２４】
本様相によれば、連結部材が透明であって可撓性を有しているので、使用者から連結部材を見えにくくでき、連結部材を弾性変形させることによって、照明パネルの面状発光パネルの取り外しが容易となる。【００２５】
好ましい様相は、前記支持部材は、複数の支持側係合部を有し、前記複数の支持側係合部が前記所定の方向に間隔を空けて設けられており、前記取付部材は、前記複数の支持側係合部のそれぞれと係合可能な第１取付側係合部を有し、前記第１取付側係合部と係合させる前記支持側係合部を変更することによって前記支持部材に対する前記照明パネルの位置を調整可能であることである。【００２６】
本様相によれば、複数の支持側係合部の中から第１取付側係合部を係合させる支持側係合部を選択することによって、支持部材に対する照明パネルの位置調整ができるので、照明パネルを所望の位置に配置することが容易である。【００２７】
本発明の一つの様相は、照明パネルと、所定の方向に延びる支持部材を有し、前記支持部材は、複数の支持側係合部が前記所定の方向に間隔を空けて設けられており、前記照明パネルは、発光面をもつ面状発光パネルと、前記支持部材に対して前記面状発光パネルを取り付ける取付部材を有し、前記面状発光パネルは、前記取付部材に対して着脱可能であって、背面にパネル側係合部を有し、前記取付部材は、前記複数の支持側係合部のそれぞれと係合可能な第１取付側係合部と、前記パネル側係合部と係合可能な第２取付側係合部を有し、前記第１取付側係合部と係合させる前記支持側係合部を変更することによって前記支持部材に対する前記照明パネルの位置を調整可能である照明装置である。【００２８】
本様相によれば、複数の支持側係合部の中から第１取付側係合部を係合させる支持側係合部を選択することによって、支持部材に対する照明パネルの位置調整ができるので、照明パネルを所望の位置に配置することが容易である。【００２９】
本発明の一つの様相は、所定の方向に延び支持側係合部を有した支持部材で支持され、前記支持部材に大部分が覆われた給電配線に接続可能な照明パネルであって、発光面をもつ面状発光パネルと、前記支持部材に対して前記面状発光パネルを取り付ける取付部材を有し、前記面状発光パネルは、前記取付部材に対して着脱可能であって、背面にパネル側係合部を有し、前記取付部材は、前記支持部材の延び方向において、前記支持部材に対して複数箇所で固定可能であって、第１取付側係合部と、第２取付側係合部を有し、前記第１取付側係合部は、前記発光面を正面視したときに前記面状発光パネルと重なる位置において、前記支持部材の延び方向に対して実質的に直交する方向に前記支持側係合部と係合可能であり、前記第２取付側係合部は、前記支持部材の延び方向に対して実質的に直交する方向で前記パネル側係合部と係合及び係合解除が可能である照明パネルである。【００３０】
本様相によれば、使用者が給電配線に触れることによる感電等の発生を防ぐことができ、安全性が高い。また、支持部材への固定位置の調整と、支持部材への固定が緩衝することを防止できる。さらに取付部材が面状発光パネルで隠されるので、従来に比べて意匠性が高い。
【発明の効果】
【００３１】
本発明の照明装置及び照明パネルによれば、面状発光パネルが支持部材で支持され、支持部材からの面状発光パネルの着脱が容易となる。
【図面の簡単な説明】
【００３２】
【図１】本発明の第１実施形態の照明装置の設置状況を模式的に示した斜視図である。
【図２】図１の照明装置を背面側からみた斜視図である。
【図３】図２の照明装置の分解斜視図である。
【図４】図２の照明装置を図３とは別の方向からみた分解斜視図である。
【図５】図３の支持部材と各照明パネルの接続関係を模式的に示した説明図であり、（ａ）は支持部材と各照明パネルの構造的な接続関係を示す断面図であり、（ｂ）は支持部材と各照明パネルの電気的な接続関係を示す電気回路図である。
【図６】図２の照明装置の組み立て工程の一例を示す説明図であり、連結部材で各面状発光パネルを接続した状態で支持部材に取り付ける際の斜視図である。
【図７】図２の照明パネルの各姿勢の説明図であり、（ａ）は第１姿勢を取った状態を示す側面図であり、（ｂ）は第２姿勢を取った状態を示す側面図である。
【図８】図２の照明装置において面状発光パネルの間隔を広げた場合の照明パネルの斜視図である。
【図９】図２の照明装置において面状発光パネルを交換する際に連結部材から取り外す際の状況を示す斜視図である。
【図１０】本発明の第２実施形態の照明装置の設置状況を模式的に示した斜視図である。
【図１１】図１０の照明装置を背面側からみた斜視図である。
【図１２】図１１の照明装置の分解斜視図である。
【図１３】図１２の照明パネルの分解斜視図である。
【図１４】図１３の取付部材を別の方向からみた斜視図である。
【図１５】図１２の照明パネルの背面図である。
【図１６】図１２の照明パネルの要部の分解斜視図である。
【図１７】図１１の照明装置の各部位の接続関係を模式的に示した説明図であり、（ａ）はパネル本体の電気的な接続関係を示す電気回路図であり、（ｂ）は各照明パネルの電気的な接続関係を示す電気回路図である。
【図１８】被取付面にレール部材を取り付ける際の状況を表す斜視図である。
【図１９】レール部材に照明パネルを取り付ける際の状況を表す説明図であり、（ａ）は照明パネルをレール部材に取り付ける直前の要部の断面図であり、（ｂ）は照明パネルをレール部材に取り付ける途中の要部の断面図であり、（ｃ）は照明パネルをレール部材に取り付けた状態の要部の断面図である。
【図２０】本発明の第３実施形態の照明装置の設置状況を模式的に示した斜視図である。
【図２１】図２０の照明装置を背面側からみた斜視図である。
【図２２】図２１の照明装置の分解斜視図である。
【図２３】図２２の照明パネルの分解斜視図である。
【図２４】レール部材及び支持部材に照明パネルを取り付ける際の状況を示す説明図であり、（ａ）は照明パネルをレール部材及び支持部材に取り付ける直前の要部の断面図であり、（ｂ）は照明パネルをレール部材及び支持部材に取り付ける途中の要部の断面図であり、（ｃ）は照明パネルをレール部材及び支持部材に取り付けた状態の要部の断面図である。なお、支持部材の内部の配線等の構造は省略している。
【図２５】図２１の照明パネルが第２姿勢を取った状態を示す斜視図である。
【図２６】本発明の第４実施形態の照明装置の斜視図である。
【図２７】本発明の第５実施形態の照明装置の説明図であり、（ａ）は第１姿勢として通常の照明として機能させる際の斜視図であり、（ｂ）は第２姿勢として取付部材をレール部材から取り外す際の斜視図である。
【図２８】本発明の他の実施形態の照明装置の要部の説明図であり、（ａ）は第１接続部が直線状の場合の側面図であり、（ｂ）は第２接続部が折れ曲がっている場合の側面図である。
【図２９】本発明の他の実施形態の照明装置の要部の斜視図である。
【発明を実施するための形態】
【００３３】
以下、本発明の実施形態について詳細に説明する。なお、以下の説明において、特に断りのない限り、図２の姿勢を基準とする。また、発光面５５側を正面とし、支持部材２側を背面とする。
【００３４】
本発明の第１実施形態の照明装置１は、図１のように、天井面や壁面、床面等の被取付面１００に対して支持部材２を取り付け、支持部材２によって一又は複数種類の照明パネル３（３ａ，３ｂ，３ｃ）を支持したものである。
以下の説明については、被取付面１００が天井面である場合、すなわち、天井に照明装置１を設置する場合について説明する。また、以下の説明において、照明装置１が３枚の照明パネル３ａ〜３ｃを備える場合について説明するが、照明パネル３ａ〜３ｃ間で同一の部材については、同様の付番を付して説明を省略する。また、照明パネル３ａ〜３ｃの各部の符号は、必要に応じて照明パネル３ａ〜３ｃの各構成部位を示す際に末尾に「ａ」、「ｂ」、「ｃ」を付して表す。
【００３５】
本実施形態の照明装置１は、図２，図３，図５のように、支持部材２と、給電配線２５と、照明パネル３と、連結部材５を備え、支持部材２への照明パネル３の取付位置が変更可能となっている。
支持部材２は、図２，図４のように、所定の方向（以下、長さ方向Ｙともいう）に延びた長尺体であり、その外郭として、その延び方向Ｙの一方の端面を構成する第１端面形成部１０と、他方の端面を構成する第２端面形成部１１と、第１端面形成部１０と第２端面形成部１１の各辺を繋ぐ側面形成部１２〜１５を備えている。
【００３６】
第１端面形成部１０には、外部電源又は他の支持部材２と接続可能な電源側接続部１８が設けられている。
第２端面形成部１１は、図３のように、照明パネル３ａの第１取付側係合部６０ａと係合可能な端面側係合部２０（支持側係合部）を備えている。
端面側係合部２０は、長さ方向Ｙに深さをもち、照明パネル３ａの第１取付側係合部６０ａと嵌合可能な嵌合穴であり、第１取付側係合部６０ａと嵌合させることで照明パネル３ａに給電可能な給電穴でもある。
【００３７】
側面形成部１４は、天面を構成する天面形成壁部であり、図示しない取付手段によって被取付面１００に取り付け可能となっている。
側面形成部１２は、図３のように、底面を構成する底面形成壁部であり、照明パネル３ｂ，３ｃの第１取付側係合部６０ｂ，６０ｃと係合可能な複数の側面側係合部２１（２１Ａ〜２１Ｌ）（支持側係合部）を備えている。
側面側係合部２１は、長さ方向Ｙに対する直交方向に深さをもち、照明パネル３ｂ，３ｃの第１取付側係合部６０ｂ，６０ｃと嵌合可能な嵌合穴であり、第１取付側係合部６０ｂ，６０ｃと嵌合させることで照明パネル３ｂ，３ｃに給電可能な給電穴でもある。
【００３８】
係合部２０，２１は、いずれも照明パネル３とのコネクターとして機能し、照明パネル３の一部と係合可能なものであれば、特に限定されるものではない。本実施形態では、係合部２０，２１は、凹状のメス型端子であり、例えば、ＵＳＢポートなどが採用できる。
【００３９】
各形成部１０〜１５で囲繞された配線空間２２内には、図５（ａ）のように外部電源と接続可能な給電配線２５が内蔵されている。
給電配線２５は、支持部材２の外郭をなす各形成部１０〜１５によって大部分が覆われている。給電配線２５は、中途又は端部で各係合部２０，２１に接続されており、各係合部２０，２１は、図５（ｂ）のように電源側接続部１８に対し、給電配線２５を介して電気的に並列接続されている。
【００４０】
照明パネル３（３ａ〜３ｃ）は、図３のように、主要構成部材として、面状発光パネル３０（３０ａ〜３０ｃ）と、取付部材３１（３１ａ〜３１ｃ）を備えている。
面状発光パネル３０は、面状に広がりをもち、面状の光を照射する板状パネルであり、具体的には、有機ＥＬパネルである。すなわち、面状発光パネル３０は、対向する２つの電極と、２つの電極に挟まれた有機発光層を含む発光機能層を備えた有機ＥＬ素子を内蔵しており、拡散光を照射可能となっている。
面状発光パネル３０は、図１，図３のように、主に、有機ＥＬ素子を内蔵したパネル本体５０と、パネル側係合部５１で構成され、一方の主面側に発光面５５を有している。
パネル側係合部５１は、パネル本体５０に内蔵される有機ＥＬ素子と電気的に接続されたパネル側給電部である。パネル側係合部５１は、図３のように、パネル本体５０の他方の主面側（発光面５５とは反対側）に位置した側面視「Ｌ」字状の係合片であり、パネル本体５０の背面から立設された立壁部５２と、立壁部５２の立設方向の先端から折りまがった差込部５３を備えている。
【００４１】
取付部材３１ａ（第２取付部材）は、端面側係合部２０に面状発光パネル３０ａを取り付ける部材である。取付部材３１ａは、図３，図４のように、第１取付側係合部６０と、第２取付側係合部６１、第１取付側係合部６０と第２取付側係合部６１を接続する接続部６２を備えている。
第１取付側係合部６０は、支持部材２の端面側係合部２０又は各側面側係合部２１（２１Ａ〜２１Ｌ）と対をなす給電部であって、いずれの係合部２０，２１とも嵌合可能な嵌合片である。すなわち、取付部材３１ａは、延び方向Ｙに並設される任意の係合部２０，２１と嵌合することによって、給電可能となるとともに、延び方向Ｙにおいて支持部材２に対して複数箇所で固定可能となっている。
第１取付側係合部６０は、支持部材２とのコネクターとして機能し、支持部材２の一部と係合可能なものであれば、特に限定されるものではない。本実施形態では、第１取付側係合部６０は、凸状のオス型端子であり、例えば、ＵＳＢプラグなどが採用できる。
【００４２】
第２取付側係合部６１は、図４のように、パネル側係合部５１の差込部５３を差し込み可能な差込口６５を備えている。
第２取付側係合部６１は、パネル側係合部５１とともにプッシュイン・プッシュアウト構造を構成しており、パネル側係合部５１が着脱可能となっている。すなわち、照明装置１は、パネル側係合部５１の差込部５３を第２取付側係合部６１の差込口６５に差し込んで押すことで差込部５３と差込口６５が係合して取り付けられ、パネル側係合部５１と第２取付側係合部６１が一体となる。一方、照明装置１は、パネル側係合部５１が第２取付側係合部６１に取り付けられた状態で再度差込部５３を差込口６５への差し込み方向に押すことで差込部５３と差込口６５の係合が解除され、パネル側係合部５１を第２取付側係合部６１から取り外し可能となる。
【００４３】
接続部６２は、図３のように第１接続部７０と、第２接続部７１と、継手部７３を備えている。
接続部７０，７１は、ともに一定の剛性をもつ棒状の軸部であり、原則的には、弾性変形しないものである。第１接続部７０は、図５のように中間部で折れ曲がって「Ｌ」字状に延び、支持側接続部７４と、継手側接続部７５から構成されており、第２接続部７１は、直線状に延びている。
継手部７３は、第１接続部７０と第２接続部７１を回動可能に接続する接続部位であり、具体的には、自在継手である。すなわち、継手部７３は、回転可能な２軸たる第１接続部７０の継手側接続部７５と第２接続部７１の交わる角度を自由に変更可能となっている。
【００４４】
照明パネル３ｂ，３ｃは、照明パネル３ａ（第２照明パネル）とは取付部材３１ｂ，３１ｃの構造が異なり、図３のように、第１取付側係合部６０と、第２取付側係合部６１と、接続部８０を備えている。
接続部８０は、第１取付側係合部６０と第２取付側係合部６１を接続する線状部位であり、可撓性があって折り曲げ可能となっている。接続部８０の上下方向の長さ（長手方向の長さ）は、接続部６２の上下方向の長さ（第１接続部７０の継手側接続部７５と第２接続部７１の長さの合計）よりも長い。
【００４５】
連結部材５は、可撓性をもつ透明樹脂製のシート状体であり、図３，図４のように、発光側覆部９０と、側面側覆部９１，９２と、背面側覆部９３，９４を備えている。
発光側覆部９０は、複数枚の面状発光パネル３０の発光面５５側を覆う部位であり、面状発光パネル３０と同程度の幅をもち、支持部材２と同一方向に帯状に延びている。発光側覆部９０は、透明であって発光面５５から放射される光を透過可能となっている。
側面側覆部９１，９２は、発光側覆部９０の幅方向Ｘ（照明パネル３の並設方向Ｙに対する直交方向）の端部から折れ曲がった部位である。
背面側覆部９３，９４は、側面側覆部９１，９２の折れ曲がり方向の端部から折り返された部位であり、面状発光パネル３０の抜け落ちを防止する抜け落ち防止片である。
連結部材５は、図２のように、照明パネル３ａ〜３ｃの幅方向Ｘの両端部を覆い、並設方向Ｙの両端部を覆っていない。すなわち、照明パネル３ａ〜３ｃは、並設方向Ｙ（支持部材２の延び方向）に移動可能となっている。
【００４６】
続いて、照明装置１の組み立て手順について照明装置１の各部材の位置関係とともに説明する。
【００４７】
まず、面状発光パネル３０ａ（第２面状発光パネル）及び面状発光パネル３０ｂ，３０ｃを直線上に並べ、各面状発光パネル３０ａ〜３０ｃに連結部材５を取り付ける。
【００４８】
このとき、面状発光パネル３０ａ〜３０ｃの間隔は任意であり、図２のように端面間が接触するように並べてもよいし、図８のように端面間に空間ができるように並べてもよい。また、面状発光パネル３０ａ〜３０ｃ間の間隔が等間隔となるように並べてもよいし、ランダムに並べてもよい。本実施形態では、連結部材５は、支持部材２の延び方向Ｙに隣接する面状発光パネル３０ａ，３０ｂ，３０ｃのそれぞれに跨って延びており、面状発光パネル３０ａ，３０ｂ，３０ｃは等間隔で直線状に整列している。
【００４９】
また、別途工程により、各面状発光パネル３０ａ〜３０ｃのパネル側係合部５１の差込部５３を各取付部材３１ａ〜３１ｃの第２取付側係合部６１の差込口６５に挿入する。すなわち、差込部５３を差込口６５に面状発光パネル３０ａ〜３０ｃの発光面５５の広がり方向に挿入する。
【００５０】
このとき、各面状発光パネル３０ａ〜３０ｃの差込部５３の差込口６５への差し込み方向は、いずれも同一方向を向いており、いずれも各面状発光パネル３０ａ〜３０ｃの幅方向Ｘ（正面視したときに並設方向Ｙに対する直交方向）を向いている。
また、面状発光パネル３０ａ〜３０ｃのパネル側係合部５１と取付部材３１ａ〜３１ｃの第２取付側係合部６１の係合部分は、面状発光パネル３０ａ〜３０ｃの発光面５５を正面視したときに、面状発光パネル３０ａ〜３０ｃと重なっている。本実施形態では、取付部材３１ａ〜３１ｃは、正面視したときに面状発光パネル３０ａ〜３０ｃで隠されている。
【００５１】
続いて、図６のように、第１取付側係合部６０ａを支持部材２の端面側係合部２０に挿入し、各照明パネル３ａ〜３ｃを支持部材２に対して固定する。
【００５２】
このとき、取付部材３１ａは、図６，図７（ｂ）のように、第２接続部７１が継手部７３によって第１接続部７０の継手側接続部７５に対して交差した交差姿勢をとり、面状発光パネル３０ａは、発光面５５が延び方向Ｙと同一方向を向く第２姿勢となる。照明パネル３ａは、支持部材２によって片持ち状に支持されており、照明パネル３ｂ，３ｃは、連結部材５を介して照明パネル３ａによって支持されている。
【００５３】
続いて、必要に応じて各照明パネル３ａ〜３ｃの間隔等の位置関係を調整し、図７（ａ）のように第２接続部７１を継手部７３によって第１接続部７０の継手側接続部７５と同一方向に並ぶ直線姿勢に変更し、照明パネル３ａを第２姿勢から面状発光パネル３０ａの発光面５５が延び方向Ｙに対して直交する方向である下方向を向く第１姿勢に変更する。そして、連結部材５を介して照明パネル３ｂ，３ｃを照明パネル３ａによって支持された状態で回動させ、第１取付側係合部６０ｂ，６０ｃを支持部材２の任意の位置の側面側係合部２１に挿入する。
【００５４】
このとき、第１取付側係合部６０ｂ，６０ｃは、対応する側面側係合部２１に支持部材２の延び方向に対して直交方向である上方向に挿入されており、接続部８０ｂ，８０ｃは、支持部材２に垂下された状態となっている。
また、取付部材３１の第１取付側係合部６０ａ〜６０ｂと支持部材２の係合部２０，２１，２１の係合部分は、面状発光パネル３０ａ〜３０ｃの発光面５５を正面視したときに、面状発光パネル３０ａ〜３０ｃと重なっている。
【００５５】
続いて、本実施形態の照明装置１において使用済みの面状発光パネル３０ｂを交換する際の動作について説明する。
【００５６】
面状発光パネル３０ｂを取り外す際には、面状発光パネル３０ｂの差込部５３を第２取付側係合部６１ｂの差込口６５から引き抜く。すなわち、差込部５３を差込口６５に押し込み、第２取付側係合部６１ｂを支持部材２に対する直交方向である幅方向Ｘにスライド移動させて差込部５３と差込口６５との係合を解除して引き抜く。そして、図９のように、隣接する面状発光パネル３０ａ，３０ｃが支持部材２に支持された状態で、連結部材５を幅方向Ｘに広げ、連結部材５から面状発光パネル３０ｂを外す。
【００５７】
また、照明パネル３ｂ全体を交換する場合には、照明パネル３ｂの第１取付側係合部６０ｂを下方向に移動させ、支持部材２の側面側係合部２１から引き抜いて第１取付側係合部６０ｂと側面側係合部２１の係合を解除する。そして、連結部材５を幅方向Ｘに広げ、連結部材５から照明パネル３ｂを外す。
【００５８】
本実施形態の照明装置１によれば、連結部材５の端部が開放しているので、面状発光パネル３０を連結部材５に取り付けた状態で連結部材５の延び方向Ｙに移動させることができ、面状発光パネル３０を支持部材２の延び方向の所望の位置に配置できる。
本実施形態の照明装置１によれば、いずれの側面側係合部２１Ａ〜２１Ｌにも第１取付側係合部６０を嵌挿して固定可能であるので、所望の配置位置に合った側面側係合部２１に第１取付側係合部６０を挿入することで所望の位置に照明パネル３を設置できる。
【００５９】
本実施形態の照明装置１によれば、第１取付側係合部６０の側面側係合部２１への挿入方向が支持部材２の延び方向に対して直交し、さらに面状発光パネル３０の厚み方向の投影面上で差込部５３の差込口６５への挿入方向も支持部材２の延び方向に対して直交する。そのため、第１取付側係合部６０の側面側係合部２１への挿入や差込部５３の差込口６５への挿入の際に、延び方向に並列された他の照明パネル３に緩衝せず、着脱作業が容易である。また、正面視したときに取付部材３１が面状発光パネル３０で隠されるので、取付部材３１が使用者側から視認しにくく、従来に比べて見栄えが良い。
【００６０】
本実施形態の照明装置１によれば、連結部材５が可撓性を有しているので、図９のように、連結部材５を外側に広げて連結部材５と面状発光パネル３０との間に空間を作ることで、支持部材２で支持させた状態で当該空間から面状発光パネル３０を取り外すことができる。
【００６１】
本実施形態の照明装置１によれば、給電配線２５が支持部材２の各形成部１０〜１５によって大部分が覆われているので、使用者が給電配線２５を直接触れてしまうことを防止できる。
【００６２】
本実施形態の照明装置１によれば、各照明パネル３ａ〜３ｃの発光面５５が連結部材５によって高さが調整され、連結部材５の発光側覆部９０を透過して視認可能となっている。そのため、使用者に一連の一つの照明として認識させることができる。
【００６３】
本実施形態の照明装置１によれば、各照明パネル３ａ〜３ｃに使用する面状発光パネル３０ａ〜３０ｃが共通である。そのため、個々に別種類の面状発光パネル３０を使用する場合に比べて歩留まりが良好となり、従来に比べて低コストで製造できる。なお、照明装置１は、必要に応じて個々に別種類の面状発光パネル３０を使用してもよい。
【００６４】
本実施形態の照明装置１によれば、支持部材２に複数の側面側係合部２１が設けられており、第１取付側係合部６０と係合させる側面側係合部２１を変更することによって支持部材２に対する照明パネル３の位置を調整可能である。そのため、照明パネル３の位置調整が容易である。
【００６５】
続いて、本発明の第２実施形態の照明装置２００について説明する。
【００６６】
本発明の第２実施形態の照明装置２００は、図１０〜図１２のように、照明パネル２０１と、レール部材２０２（支持部材）と、第１配線部材２０３（給電配線）と、第２配線部材２０４（給電配線）を備えている。
照明パネル２０１は、図１３のように、面状発光パネル２１０と、取付部材２１１を備えている。
面状発光パネル２１０は、正面に発光面５５を有する有機ＥＬパネルであり、背面側に隆起部２１５を備えている。隆起部２１５は、面状発光パネル２１０の他の背面部分に対して厚み方向に隆起した凸部であり、図１７に示される定電流化素子２２３及び制御切替部２２４を格納し保護する保護部である。隆起部２１５は、図１３のように、背面視四角形状であり、対向する２辺にパネル側係合部２１６Ａ，２１６Ｂ及びパネル側係合部２１６Ｃ，２１６Ｄがそれぞれ設けられている。
【００６７】
パネル側係合部２１６Ａ〜２１６Ｄは、発光面５５の広がり方向（以下、単に面方向ともいう）において隆起部２１５の端部から外側に向かって張り出した張出片であり、図１３のように隆起部２１５と同一平面を構成し面一となる第１係合部２１７と、第１係合部２１７の一部から第１係合部２１７と直交する方向に延びた第２係合部２１８から構成されている。
パネル側係合部２１６Ａ〜２１６Ｄの各第１係合部２１７は、取付部材２１１のホルダー側係合部２４０Ａ〜２４０Ｄと係合することで、面状発光パネル２１０の発光面５５に対して直交する方向（取付部材２１１との重なり方向）への移動を規制する規制部である。一方、パネル側係合部２１６Ａ〜２１６Ｄの各第２係合部２１８は、取付部材２１１のホルダー側係合部２４０Ａ〜２４０Ｄと係合することで、取付部材２１１に対して発光面５５の広がり方向（スライド移動方向）への移動を規制する規制部である。
パネル側係合部２１６Ａ，２１６Ｂは、レール部材２０２の延び方向Ｙに対向する２辺のうち一方の辺に設けられ、当該一方の辺に沿って所定の間隔を空けて配されており、パネル側係合部２１６Ｃ，２１６Ｄは、他方の辺に設けられており、当該他方の辺に沿って所定の間隔を空けて配されている。
【００６８】
隆起部２１５は、図１３のように、背面視したときに、一部が切り欠かれた切り欠き部２２０があり、切り欠き部２２０内に第１コネクター部２２１と、第２コネクター部２２２を備えている。
コネクター部２２１，２２２は、配線部材２０３，２０４の配線側コネクター部２８０，２８１，２８４のそれぞれと接続可能な給電コネクターである。コネクター部２２１，２２２は、具体的には、メスコネクターであり、その差込方向は、面方向と実質的に一致している。
コネクター部２２１，２２２は、図１７（ａ）のように隆起部２１５内に格納された定電流化素子２２３及び制御切替部２２４を経由して、有機ＥＬ素子と電気的に接続されており、さらに別途導電経路にて有機ＥＬ素子を経由せずに電気的に接続されている。
定電流化素子２２３は、有機ＥＬ素子に対して定電流を供給可能な素子であり、制御切替部２２４は、ＰＷＭ制御等により調光制御や調色制御等の複数種類の制御を切り替える部位である。
【００６９】
取付部材２１１は、図１３，図１５のようにホルダー部材２３０と、係合ユニット２３１Ａ〜２３１Ｄを備えている。
ホルダー部材２３０は、図１３，図１４のように、ホルダー本体部２３５と、ホルダー収容部２３６を備えている。ホルダー本体部２３５は、ホルダー側開口部２３９を有しており、ホルダー側開口部２３９の開口縁に沿ってホルダー側係合部２４０Ａ〜２４０Ｄと、第１規制溝２４４Ａ〜２４４Ｄを備えている。
【００７０】
ホルダー側係合部２４０Ａ〜２４０Ｄは、パネル側係合部２１６と係合可能な係合片であり、図１３のように、ホルダー側開口部２３９から延びた延伸部２４１と、延伸部２４１の端部から折れ曲がった立壁部２４２と、立壁部２４２の端部からさらに折れ曲がった係止部２４３を備えている。
第１規制溝２４４Ａ〜２４４Ｄは、係合ユニット２３１の移動方向を規制する溝であり、図１４のように正面視略「Ｔ」字状の溝である。第１規制溝２４４Ａ〜２４４Ｄは、係合部材２５０の規制片２５４との離脱を係止する溝であり、延び方向に規制片２５４を抜き差し可能部位と、抜き差し不能部位が存在しており、全体として幅方向Ｘに延びている。
【００７１】
ホルダー収容部２３６は、図１３のように、中央側に向かって開口した筐体であり、係合ユニット２３１の一部又は全部を収容可能となっている。ホルダー収容部２３６は、その背面側の壁面に第２規制溝２４５Ａ〜２４５Ｄが形成されている。
第２規制溝２４５Ａ〜２４５Ｄは、幅方向Ｘに延び、係合ユニット２３１の移動方向を幅方向Ｘに規制する溝であり、図１６のように、固定部材２５３の軸部２５７が挿入可能であって、固定部材２５３の頭部２５６が嵌まる溝である。
【００７２】
係合ユニット２３１は、図１６のように係合部材２５０と、付勢部材２５１と、固定部材２５３を備えている。
係合部材２５０は、レール部材２０２と係合して照明パネル２０１の落下を防止する落下防止部材であり、図１４，図１６のように規制片２５４と、係止部２５５と、固定受部２５８を備えている。規制片２５４は、第１規制溝２４４Ａ〜２４４Ｄに沿って移動することで係合部材２５０の移動方向を一方向に規制する係止片である。係止部２５５は、レール部材２０２の挿入方向に対して交差する方向に傾斜した傾斜部である。固定受部２５８は、固定部材２５３と係合可能な部位であり、具体的には、固定部材２５３の軸部２５７と締結可能な締結穴である。
【００７３】
付勢部材２５１は、弾性をもち、弾性変形することによって、係合部材２５０を所定の方向に付勢する部材であり、具体的にはコイルばねである。付勢部材２５１は、ホルダー収容部２３６と係合部材２５０との間に位置しており、係合部材２５０をホルダー収容部２３６から離反する方向に付勢している。
【００７４】
固定部材２５３は、頭部２５６と軸部２５７を有している。
固定部材２５３は、頭部２５６が第２規制溝２４５内に嵌まることで面一となり、軸部２５７が第２規制溝２４５を挿通し、係合ユニット２３１の固定受部２５８と係合することでホルダー収容部２３６内に係合部材２５０を固定する部材である。
【００７５】
レール部材２０２は、図１８のように頭部２９１と軸部２９２とを有する締結要素２９０によって被取付面１００に固定されるものである。レール部材２０２は、図１２のように断面形状が略「Ｈ」字状の長尺体であり、外郭形状は、高さに対する幅の比率が２以上８以下の扁平形状であることが好ましい。
レール部材２０２は、空間を開けて対向する第１壁部２６０及び第２壁部２６１と、壁部２６０，２６１の中間部間を接続する接続壁部２６２を備えている。
第１壁部２６０と第２壁部２６１は、大きさが異なる固定穴２６３，２６４が形成されており、第１壁部２６０の固定穴２６３は、第２壁２６１部の固定穴２６４よりも開口が小さい。第１壁部２６０の固定穴２６３は、締結要素２９０の頭部２９１の外径よりも開口径が小さく、軸部２９２の外径よりも開口径が大きい。第２壁部２６１の固定穴２６４は、締結要素２９０の頭部２９１及び軸部２９２の外径よりも開口径が大きい。
【００７６】
接続壁部２６２は、壁部２６０，２６１の片側端部近傍に設けられ、壁部２６０，２６１の間の空間を２分割する壁部である。すなわち、第１壁部２６０と第２壁部２６１の間の空間は、配線部材２０３，２０４が収容可能な配線空間２６５と、他の空間２６６に分割されている。接続壁部２６２からの張出部分たる第２壁部２６１の幅方向Ｘの両端部は、取付部材２１１の係合ユニット２３１とそれぞれ係合可能となっており、レール側係合部２７０，２７１を構成している。
【００７７】
第１配線部材２０３は、図１２のように配線側コネクター部２８０，２８１と、配線側コネクター部２８０，２８１間を繋ぐ配線部２８２を備えている。
一方、第２配線部材２０４は、照明パネル２０１のコネクター部２２１，２２２と接続可能な配線側コネクター部２８４と、他の照明装置の配線部材２０４又は外部電源と接続可能な装置間接続コネクター部２８５と、コネクター部２８４，２８５を繋ぐ配線部２８６とを備えている。
【００７８】
配線側コネクター部２８０，２８１，２８４は、照明パネル２０１のコネクター部２２１，２２２（図１３参照）に給電する給電コネクターであり、具体的にはオスコネクターである。配線部２８２，２８６は、可撓性を有した紐状の部位であり、折り曲げ可能となっている。
【００７９】
続いて、照明装置２００の組み立て手順とともに各部材の位置関係について説明する。
【００８０】
まず、図１８のように締結要素２９０を第２壁部２６１の固定穴２６４の外側から挿入し、第１壁部２６０の固定穴２６３に挿入して、レール部材２０２を被取付面１００に取り付ける。
【００８１】
このとき、締結要素２９０は、軸部２９２が固定穴２６３に挿通され、頭部２９１が第１壁部２６０と第２壁部２６１の間の配線空間２６５に位置することとなる。
【００８２】
面状発光パネル２１０を取付部材２１１のホルダー側開口部２３９に挿入し、その状態でレール部材２０２に対する直交方向である幅方向Ｘにスライド移動させて、取付部材２１１に取り付ける。
【００８３】
このとき、面状発光パネル２１０のパネル側係合部２１６に取付部材２１１のホルダー側係合部２４０が係合され、取付部材２１１に対する面状発光パネル２１０のスライド方向及び重なり方向の移動が規制されている。
【００８４】
続いて、第１配線部材２０３の一方の配線側コネクター部２８０を第１コネクター部２２１に挿入する。
【００８５】
このとき、第１配線部材２０３の他方の配線側コネクター部２８１は自由端となっており、第１コネクター部２２１によって片持ち状に支持されている。
【００８６】
続いて、レール部材２０２の配線空間２６５内に配線部材２０３，２０４を押し込み、レール部材２０２のレール側係合部２７０，２７１に照明パネル２０１の係合ユニット２３１を係合させる。
【００８７】
このとき、レール側係合部２７０，２７１は、図１９のように、係合ユニット２３１の係合部材２５０の傾斜した係止部２５５に当接し、係合部材２５０を押し広げながら係合する。すなわち、レール側係合部２７０，２７１は、付勢部材２５１による付勢力に逆らって係合部材２５０を互いに離反する方向に離反させ、レール側係合部２７０，２７１が係止部２５５を超えると、付勢部材２５１の付勢力によって係合ユニット２３１の係合部材２５０が互いに近接する方向に移動する。そして、レール側係合部２７０，２７１と係合部材２５０は、重なり方向（延び方向Ｙに対する直交方向）に係合する。
また、係合ユニット２３１がレール側係合部２７０，２７１と係合した状態において、第１コネクター部２２１又は第２コネクター部２２２への配線部材２０３，２０４の配線側コネクター部２８０，２８１，２８４の差し込み方向は、レール部材２０２の延び方向Ｙに対して直交している。
さらに、照明パネル２０１は、図１７のように、コネクター部２２１がレール部材２０２の延び方向Ｙに隣接する他の照明パネル２０１のコネクター部２２２と第１配線部材２０３を介して電気的に直列接続されている。
【００８８】
面状発光パネル２１０をレール部材２０２から取り外す際には、面状発光パネル２１０をレール部材２０２に対する直交方向である幅方向Ｘにスライド移動させ、面状発光パネル２１０を幅方向Ｘの片側に寄せる。こうすることで、面状発光パネル２１０のパネル側係合部２１６Ａ〜２１６Ｄと取付部材２１１のホルダー側係合部２４０Ａ〜２４０Ｄの係合を解除して、取付部材２１１から面状発光パネル２１０を外す。
【００８９】
また、照明パネル２０１全体を交換する場合には、照明パネル２０１の取付部材２１１を幅方向Ｘの片側に寄せ、その状態で固定部材２５３の頭部２５６を操作して、照明パネル２０１をレール部材２０２から取り外す。あるいは、照明パネル２０１の取付部材２１１をレール部材２０２の長手方向Ｙに沿ってスライド移動させ、レール部材２０２の端部から照明パネル２０１を取り外す。
【００９０】
本実施形態の照明装置２００によれば、各照明パネル２０１が電気的に直列接続されているので、各面状発光パネル２１０の発光面５５を均等に光らすことができる。
【００９１】
本実施形態の照明装置２００によれば、レール部材２０２によって配線部材２０３，２０４が隠されているので、従来に比べて見栄えがよく、接触等の外的要因による断線も起こりにくい。
【００９２】
続いて、第３実施形態の照明装置３００について説明する。
【００９３】
第３実施形態の照明装置３００は、図２０，図２１のように、レール部材３０１と、支持部材２と、照明パネル３ａ，３０３ｂ，３０３ｃを備えている。
レール部材３０１は、図２２のように、収容空間３１６を挟んで対向する壁部３１０，３１１と、壁部３１０，３１１の端部間を接続する接続壁部３１２と、壁部３１０，３１１の端部から外側に向かって突出した係合壁部３１３，３１５を備えている。
【００９４】
照明パネル３０３ｂ，３０３ｃは、図２２，図２３のように、取付部材３２０と、面状発光パネル３０ｂ，３０ｃで構成されている。
取付部材３２０は、係合ユニット３２５Ａ，３２５Ｂと、連結部３２６と、第１取付側係合部６０と、第２取付側係合部６１と、接続部８０を備えている。
係合ユニット３２５Ａ，３２５Ｂは、骨格部３３０と、係合部材３３１Ａ，３３１Ｂと、付勢部材２５１Ａ，２５１Ｂと、固定部材２５３Ａ，２５３Ｂとを備えている。
骨格部３３０は、２つの収容部３３５Ａ，３３５Ｂと、接続部３３６を備えている。
収容部３３５Ａ，３３５Ｂは、係合部材３３１Ａ，３３１Ｂと付勢部材２５１Ａ，２５１Ｂを収容可能な筐体状の部位であり、厚み方向に貫通した第２規制溝２４５Ａ，２４５Ｂを備えている。
接続部３３６は、収容部３３５Ａ，３３５Ｂ間を接続する部位であり、第１規制溝２４４Ａ，２４４Ｂを備えている。
係合部材３３１Ａ，３３１Ｂは、レール部材３０１と係合して照明パネル３０３ｂ，３０３ｃの落下を防止する落下防止部材であり、規制片２５４と、係止部２５５とを備えている。
連結部３２６は、係合ユニット３２５と第２取付側係合部６１を連結する部位であり、剛性をもつ棒状体である。
【００９５】
続いて、照明装置３００の組み立て手順とともに各部材の位置関係について説明する。
【００９６】
まず、各面状発光パネル３０ａ〜３０ｃのパネル側係合部５１の差込部５３を各取付部材３２０の第２取付側係合部６１の差込口６５に挿入し、各面状発光パネル３０ａ〜３０ｃを取付部材３１ａ，３２０ｂ，３２０ｃに取り付ける。
【００９７】
別途工程にて、レール部材３０１の収容空間３１６に支持部材２を収容させて固定し、レール部材３０１を被取付面１００に図示しない締結要素等により固定する。
【００９８】
続いて、図２４のように、レール部材３０１の係合壁部３１３，３１５に照明パネル３０３ｂ（３０３ｃ）の係合部材３３１Ａ，３３１Ｂを押し当てながら、レール部材３０１に照明パネル３０３ｂ（３０３ｃ）を近接させて係合壁部３１３，３１５と係合部材３３１Ａ，３３１Ｂを係合させる。
【００９９】
このとき、係合部材３３１Ａ，３３１Ｂの係止部２５５Ａ，２５５Ｂが係合壁部３１３，３１５に押圧され、付勢部材２５１Ａ，２５１Ｂの付勢力に反して離反する。係合壁部３１３，３１５が係合部材３３１Ａ，３３１Ｂの係止部２５５Ａ，２５５Ｂを超えると、付勢部材２５１Ａ，２５１Ｂの付勢力によって係合部材３３１Ａ，３３１Ｂが近接し、係合部材３３１Ａ，３３１Ｂと係合壁部３１３，３１５が上下方向に係合する。
【０１００】
照明装置３００から使用済みの面状発光パネル３０ｂを取り外す際には、第１実施形態の照明装置１と同様、差込部５３を差込口６５に押し込んで、面状発光パネル３０ｂを支持部材２に対して直交する方向にスライド移動させて引き抜く。
【０１０１】
照明パネル３０３ｂ全体を交換する場合には、図２５のように、照明パネル３３０ｂの第１取付側係合部６０ｂを支持部材２の側面側係合部２１から引き抜き、照明パネル３ａを第２姿勢にし、その状態で照明パネル３０３ｂをレール部材３０１の延び方向にスライド移動させて、レール部材３０１の端部から係合ユニット３２５を取り外す。
【０１０２】
本発明の第３実施形態の照明装置３００によれば、主に給電に使用される第１取付側係合部６０ｂと、固定に使用される係合ユニット３２５が別途形成され、取付部材３２０とレール部材３０１の接続部分と取付部材３２０と支持部材２の接続部分が別部分となっている。そのため、仮にレール部材３０１から取付部材３２０が外れても、取付部材３２０と支持部材２が接続された状態を維持でき、落下を防止できる。
【０１０３】
上記した第２，３実施形態では、幅方向Ｘに対向する複数の係合ユニット２３１（第２実施形態の場合）のそれぞれに付勢部材２５１を設けていたが、本発明はこれに限定されるものではない。図２６のように幅方向Ｘに対向する一方の係合ユニット２３１のみ付勢部材２５１を設け、他方の係合ユニットは単なる係止片３６０，３６０としてもよい（第４実施形態）。すなわち、係止片３６０，３６０をレール部材３０１の係合壁部３１３又は係合壁部３１５と係合させ、係合ユニット２３１をレール部材３０１の係合壁部３１５又は係合壁部３１３に押し当てると、付勢部材２５１を設けた係合ユニット２３１が係止片３６０，３６０に対して相対的に移動して係合壁部３１５又は係合壁部３１３と係合する。
【０１０４】
上記した第３実施形態では、レール部材３０１の端部から照明パネル３０３が取り外し可能となっていたが、本発明はこれに限定されるものではない。
図２７のようにレール部材３０１の係合壁部３１３，３１５に切り欠き部３７０，３７０を設けて、切り欠き部３７０，３７０から照明パネル３０３を取り外せるようにしてもよい（第５実施形態）。すなわち、照明パネル３ａの面状発光パネル３０ａを第２姿勢とし、照明パネル３０３ｂ，３０３ｃをレール部材３０１の長手方向に移動させることで切り欠き部３７０，３７０と係合ユニット３２５Ａ，３２５Ｂが一致し、切り欠き部３７０，３７０から係合ユニット３２５Ａ，３２５Ｂを取り外すことが可能となる。
【０１０５】
上記した実施形態では、差込部５３の差込口６５への差し込み方向や配線側コネクター部２８０，２８１，２８４のコネクター部２２１，２２２への差し込み方向は、支持部材２やレール部材２０２の延び方向に対して直交方向となっていたが、本発明はこれに限定されるものではなく、実質的に直交方向であれば、直交方向からわずかに傾いていてもよい。同様に上記した実施形態では、第１取付側係合部６０ｂ，６０ｃの側面側係合部２１への挿入方向やレール側係合部２７０，２７１と係合部材２５０の係合方向は、支持部材２やレール部材２０２の延び方向に対して直交方向となっていたが、本発明はこれに限定されるものではなく、実質的に直交方向であれば、直交方向からわずかに傾いていてもよい。
【０１０６】
上記した第１実施形態では、連結部材５によって３つの照明パネル３ａ〜３ｃを連結していたが、本発明は、これに限定されるものではない。連結部材５によって２つの照明パネル３を連結していてもよいし、４以上の照明パネル３を連結していてもよい。
【０１０７】
上記した第１，３実施形態では、接続部６２として第１接続部７０が折れ曲がった場合について説明したが、本発明はこれに限定されるものではない。図２８（ａ）のように第１接続部７０は、直線状に延びていてもよいし、図２８（ｂ）のように第２接続部７１が「Ｌ」字状に折れ曲がっていてもよい。また、第１接続部７０及び第２接続部７１は、それぞれ適宜湾曲していてもよい。
【０１０８】
上記した第１，３実施形態では、接続部６２として給電構造を備えたものを使用し、継手部７３を介して面状発光パネル３０ａへの給電が可能となっていたが、本発明はこれに限定されない。図２９のように、接続部６２とは別に配線３５０を設けて、継手部７３を介さずに面状発光パネル３０ａへの給電を可能としてもよい。
【０１０９】
上記した第１，３実施形態では、係合部２０，２１をメス型端子とし、第１取付側係合部６０をオス型端子としていたが、本発明はこれに限定されない。係合部２０，２１をオス型端子とし、第１取付側係合部６０をメス型端子としてもよい。
【０１１０】
上記した実施形態では、支持部材２やレール部材２０２は、直線状に延びていたが、本発明はこれに限定されるものではなく、全体として所定の方向に延びていればよい。すなわち、一部分が湾曲していたり、波線状になっていたり、ジグザグ状となっていてもよい。
【０１１１】
上記した実施形態では、面状発光パネル３０，２１０として、有機ＥＬパネルを使用した場合について説明したが、本発明はこれに限定されるものではない。面状発光パネル３０，２１０は、面状に広がった光を出射するものであればよく、例えば、複数のＬＥＤを面状に散りばめたＬＥＤパネルであってもよいし、無機ＥＬパネルであってもよい。
【０１１２】
上記した実施形態では、天井面を被取付面１００として使用した場合について説明したが、本発明はこれに限定されるものではない。机等の他の構造物の一面を被取付面１００として使用してもよい。
【０１１３】
上記した第１実施形態では、側面形成部１４を天井面たる被取付面１００に対して対向又は接触するように取り付けたが、本発明はこれに限定されるものではない。他の側面形成部１３や側面形成部１５を被取付面１００に対して対向又は接触するように取り付けてもよい。これらの場合には、係合部２０，２１が実質的に水平方向を向くように取り付けることが好ましい。
【０１１４】
上記した第１実施形態では、被取付面１００に取り付けたときに底面を形成する側面形成部１２に側面側係合部２１を設けた場合について説明したが、本発明はこれに限定されるものではない。他の側面形成部１３〜１５に設けてもよい。
【０１１５】
上記した実施形態は、本発明の技術的範囲に含まれる限り、各実施形態間で各構成部材を自由に置換や付加できる。
【符号の説明】
【０１１６】
１，２００，３００  照明装置
２  支持部材
３ａ，２０１，３０３ａ  照明パネル（第２照明パネル）
３ｂ，３ｃ，３０３ｂ，３０３ｃ  照明パネル
２０  端面側係合部（支持側係合部）
２１，２１Ａ〜２１Ｌ  側面側係合部（支持側係合部）
２２，２６５  配線空間
２５  給電配線
３０ａ  面状発光パネル（第２面状発光パネル）
３０ｂ，３０ｃ，２１０  面状発光パネル
３１ａ  取付部材（第２取付部材）
３１ｂ，３１ｃ  取付部材
５１  パネル側係合部
５５  発光面
６０  第１取付側係合部
６１  第２取付側係合部
７０  第１接続部
７１  第２接続部
２０２  レール部材（支持部材）
２０３  第１配線部材（給電配線）
２０４  第２配線部材（給電配線）
２１１  取付部材
２１７  第１接続部
２１８  第２接続部
２３１，２３１Ａ〜２３１Ｄ，３２５，３２５Ａ，３２５Ｂ  係合ユニット
２５０，３３１，３３１Ａ，３３１Ｂ  係合部材（係合片）
２５１，２５１Ａ，２５１Ｂ  付勢部材
２７０，２７１  レール側係合部（支持側係合部）
３１３，３１５  係合壁部（支持側係合部）
【図１】
2018211729.tif 000003
【図２】
2018211729.tif 000004
【図３】
2018211729.tif 000005
【図４】
2018211729.tif 000006
【図５】
2018211729.tif 000007
【図６】
2018211729.tif 000008
【図７】
2018211729.tif 000009
【図８】
2018211729.tif 000010
【図９】
2018211729.tif 000011
【図１０】
2018211729.tif 000012
【図１１】
2018211729.tif 000013
【図１２】
2018211729.tif 000014
【図１３】
2018211729.tif 000015
【図１４】
2018211729.tif 000016
【図１５】
2018211729.tif 000017
【図１６】
2018211729.tif 000018
【図１７】
2018211729.tif 000019
【図１８】
2018211729.tif 000020
【図１９】
2018211729.tif 000021
【図２０】
2018211729.tif 000022
【図２１】
2018211729.tif 000023
【図２２】
2018211729.tif 000024
【図２３】
2018211729.tif 000025
【図２４】
2018211729.tif 000026
【図２５】
2018211729.tif 000027
【図２６】
2018211729.tif 000028
【図２７】
2018211729.tif 000029
【図２８】
2018211729.tif 000030
【図２９】
2018211729.tif 000031
【国際調査報告】
2018211729.tif 000032
2018211729.tif 000033